(57)【要約】【構成】継ぎ手５４はカメラ筐体５０の後部に設けられ、モニタユニット５２は画面が露出する態様でカメラ筐体５０の側部に積層される。また、継ぎ手５４はカメラ筐体５０から光軸ＡＸに沿って突出したシャフト５８によって軸支され、モニタユニット５２は継ぎ手５４から光軸に直交する方向に突出したシャフト５６によって軸支される。したがって、モニタユニット５２をシャフト５６の軸回り方向に回転させると、画面ＳＣＲはカメラ筐体５０の後方を向く。続いて、継ぎ手５４をシャフト５８の軸回り方向に回転させると、モニタユニット５２つまり画面ＳＣＲはシャフト５８を中心としてカメラ筐体５０の周辺を移動する。【効果】撮像系の姿勢を変更することなく、利き腕でカメラ操作を行うことができる。【選択図】図３
2012034118.tif 000002
【特許請求の範囲】
【請求項１】
カメラ筐体の前部に設けられたレンズ、
前記カメラ筐体の側部に設けられたモニタユニット、
前記カメラ筐体の後部に設けられて前記カメラ筐体と前記モニタユニットとを継ぐ継ぎ手、
前記カメラ筐体から光軸に沿って突出して前記継ぎ手を軸支する第１シャフト、および
前記継ぎ手から前記光軸に直交する方向に突出して前記モニタユニットを軸支する第２シャフトを備える、電子カメラ。
【請求項２】
前記カメラ筐体は、操作者によって把持されるグリップ、および前記グリップの上部に設けられた鏡筒を有する、請求項１記載の電子カメラ。
【請求項３】
前記第２シャフトの回り方向における前記継ぎ手の回転可能角度は２７０°に相当する、請求項２記載の電子カメラ。
【請求項４】
前記継ぎ手は前記カメラ筐体の後方に面する複数の操作キーを有し、
前記複数の操作キーの配置を前記継ぎ手の回転角度に応じて変更する変更手段をさらに備える、請求項１ないし３のいずれかに記載の電子カメラ。
【請求項５】
前記複数の操作キーの各々は互いに異なるマークを有するタッチキーに相当し、
前記変更手段は前記マークの表示態様を変更する表示態様変更手段を含む、請求項４記載の電子カメラ。
【請求項６】
前記複数の操作キーは、静止画記録を指示するための第１キー、および動画記録を指示するための第２キーを含む、請求項４または５記載の電子カメラ。
【請求項７】
前記モニタユニットは板状に形成されて前記カメラ筐体の側部に積層される、請求項１ないし６のいずれかに記載の電子カメラ。
【発明の詳細な説明】
【技術分野】
【０００１】
この発明は、電子カメラに関し、特にカメラ筐体の側面にモニタユニットが設けられた、電子カメラに関する。
【背景技術】
【０００２】
この種のカメラの一例が、特許文献１に開示されている。この背景技術によれば、第１の本体および第２の本体が、カメラ光軸に直交する回転面に設けられた回転軸部を介して回転可能に接続される。モニタ部は、第１の本体の側面にヒンジ部を介して開閉可能に取り付けられる。グリップ部は、第１の本体およびモニタ部を第２の本体に対して回転させたときにモニタ部が開いた方向と対向する第２の本体の側面に設けられる。
【先行技術文献】
【特許文献】
【０００３】
【特許文献１】特開２００６−２８７２８８号公報
【発明の概要】
【発明が解決しようとする課題】
【０００４】
しかし、背景技術では、カメラレンズやＣＣＤカメラのような撮像系が第１の本体に設けられ、モニタ部を回転させると撮像系もまた回転される。したがって、カメラレンズの位置が第１の本体の前面の中心からずれていると、操作性が低下する。ここで、操作性の低下を防ぐために、カメラレンズを中心に配置するようにすると、設計上の制限が増大する。
【０００５】
それゆえに、この発明の主たる目的は、撮像系の姿勢を変更することなく、利き腕でカメラ操作を行うことができる、電子カメラを提供することである。
【課題を解決するための手段】
【０００６】
この発明に従う電子カメラ(10：実施例で相当する参照符号。以下同じ)は、カメラ筐体(50)の前部に設けられたレンズ(12)、カメラ筐体の側部に設けられたモニタユニット(52)、カメラ筐体の後部に設けられてカメラ筐体とモニタユニットとを継ぐ継ぎ手(54)、カメラ筐体から光軸に沿って突出して継ぎ手を軸支する第１シャフト(58)、および継ぎ手から光軸に直交する方向に突出してモニタユニットを軸支する第２シャフト(56)を備える。
【０００７】
好ましくは、カメラ筐体は、操作者によって把持されるグリップ(50g)、およびグリップの上部に設けられた鏡筒(50b)を有する。
【０００８】
さらに好ましくは、第２シャフトの回り方向における継ぎ手の回転可能角度は２７０°に相当する。
【０００９】
好ましくは、継ぎ手はカメラ筐体の後方に面する複数の操作キー(38s, 38z, 38m)を有し、複数の操作キーの配置を継ぎ手の回転角度に応じて変更する変更手段(S41~S49)がさらに備えられる。
【００１０】
或る局面では、複数の操作キーの各々は互いに異なるマークを有するタッチキーに相当し、変更手段はマークの表示態様を変更する表示態様変更手段(S47~S49)を含む。
【００１１】
他の局面では、複数の操作キーは、静止画記録を指示するための第１キー(38s)、および動画記録を指示するための第２キー(38m)を含む。
【００１２】
好ましくは、モニタユニットは板状に形成されてカメラ筐体の側部に積層される。
【発明の効果】
【００１３】
継ぎ手はカメラ筐体の後部に設けられ、モニタユニットはカメラ筐体の側部に設けられる。また、継ぎ手はカメラ筐体から光軸に沿って突出した第１シャフトによって軸支され、モニタユニットは継ぎ手から光軸に直交する方向に突出した第２シャフトによって軸支される。
【００１４】
したがって、継ぎ手を第１シャフトの軸回り方向に回転させると、モニタユニットは第１シャフトを中心としてカメラ筐体の周辺を移動する。また、モニタユニットを第２シャフトの軸回り方向に回転させると、画面の向きが変化する。
【００１５】
モニタユニットをカメラ筐体の左側に配置すると、カメラ筐体を右手で把持しやすくなる。これに対して、モニタユニットをカメラ筐体の右側に配置すると、カメラ筐体を左手で把持しやすくなる。また、撮像系の姿勢は、モニタユニットの配置の変更に関わらず固定的である。これによって、撮像系の姿勢を変更することなく、利き腕でカメラ操作を行うことができる。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の一実施例であるディジタルカメラの構成を示すブロック図である。
【図２】（Ａ）はモニタユニットを折り畳んだ状態に対応するディジタルカメラの外観の一部を示す斜視図であり、（Ｂ）はモニタユニットを手前に起こした状態に対応するディジタルカメラの外観の一部を示す斜視図であり、（Ｃ）は手前に起こしたモニタユニットを右に９０°回転させた状態に対応するディジタルカメラの外観の一部を示す斜視図であり、（Ｄ）は手前に起こしたモニタユニットを右に２７０°回転させた状態に対応するディジタルカメラの外観の一部を示す斜視図である。
【図３】（Ａ）は分解状態にあるディジタルカメラの外観の一部を示す図解図であり、（Ｂ）は分解状態にあるディジタルカメラの外観の他の一部を示す図解図である。
【図４】（Ａ）は０°の回転角度に対応する操作ボタンの表示態様の一例を示す図解図であり、（Ｂ）は９０°の回転角度に対応する操作ボタンの表示態様の一例を示す図解図であり、（Ｃ）は１８０°の回転角度に対応する操作ボタンの表示態様の一例を示す図解図であり、（Ｄ）は２７０°の回転角度に対応する操作ボタンの表示態様の一例を示す図解図である。
【図５】（Ａ）はカメラ筐体の外観の一部を示す図解図であり、（Ｂ）はカメラ筐体の外観の他の一部を示す図解図である。
【図６】（Ａ）はモニタユニットの外観の一部を示す図解図であり、（Ｂ）はモニタユニットの外観の他の一部を示す図解図である。
【図７】（Ａ）は継ぎ手の外観の一部を示す図解図であり、（Ｂ）は継ぎ手の外観の他の一部を示す図解図である。
【図８】継ぎ手とモニタユニットとを結合するシャフトの外観の一部を示す図解図である。
【図９】カメラ筐体と継ぎ手とを結合する他のシャフトの外観の一部を示す図解図である。
【図１０】（Ａ）はディジタルカメラを右手で把持した状態の一例を示す図解図であり、（Ｂ）はディジタルカメラを左手で把持した状態の一例を示す図解図である。
【図１１】ディジタルカメラに適用されるＣＰＵの動作の一部を示すフロー図である。
【図１２】ディジタルカメラに適用されるＣＰＵの動作の他の一部を示すフロー図である。
【図１３】ディジタルカメラに適用されるＣＰＵの動作のその他の一部を示すフロー図である。
【発明を実施するための形態】
【００１８】
図１を参照して、この実施例のディジタルカメラ１０は、ドライバ２０ａ，２０ｂおよび２０ｃによってそれぞれ駆動されるズームレンズ１２，フォーカスレンズ１４および絞り機構１６を含む。これらの部材を経た被写界の光学像は、撮像装置１８の撮像面に照射される。
【００１９】
電源が投入されると、ＣＰＵ３６は、撮像タスクの下で動画取り込み処理を実行するべく、ドライバ２０ｄに露光動作および電荷読み出し動作の繰り返しを命令する。ドライバ２０ｄは、図示しないＳＧ(Signal Generator)から出力された垂直同期信号Ｖｓｙｎｃに応答して、撮像面を露光し、かつこれによって生成された電荷をラスタ走査態様で読み出す。撮像装置１６からは、読み出された電荷に基づく生画像データが周期的に出力される。
【００２０】
信号処理回路２２は、撮像装置１６から出力された生画像データに基づいてＹＵＶ形式の画像データを作成し、作成された画像データをメモリ制御回路２４を通してＳＤＲＡＭ２６に書き込む。ＬＣＤドライバ２８は、ＳＤＲＡＭ２６に格納された画像データをメモリ制御回路２４を通して繰り返し読み出し、読み出された画像データに基づいてＬＣＤモニタ３０を駆動する。この結果、被写界を表す動画像（スルー画像）がＬＣＤモニタ３０に表示される。
【００２１】
信号処理回路２２によって作成された画像データは、ＣＰＵ３４にも与えられる。ＣＰＵ３６は、条件調整タスクの下で画像データを取り込み、取り込まれた画像データに基づいてＡＥ処理を実行する。この結果、適正ＥＶ値が算出され、算出された適正ＥＶ値を定義する絞り量および露光時間がドライバ２０ｃおよび２０ｄにそれぞれ設定される。これによって、スルー画像の明るさが適度に調整される。
【００２２】
ＣＰＵ３６はまた、ＡＦ起動条件が満足されるとき、信号処理回路２２から取り込まれた画像データに基づくＡＦ処理を条件調整タスクの下で実行する。この結果、合焦点が探索され、フォーカスレンズ１４が発見された合焦点に配置される。これによって、スルー画像の鮮鋭度が向上する。
【００２３】
ＣＰＵ３６はさらに、操作パネル４０に対してズーム操作が行われたとき、条件調整タスクの下でズームレンズ１２を光軸方向に移動させる。この結果、スルー画像の倍率が変化する。
【００２４】
操作パネル４０に対して動画記録開始操作が行われると、ＣＰＵ３６は、撮像タスクの下で動画記録処理を開始する。Ｉ／Ｆ３２は、ＳＤＲＡＭ２６に格納された画像データをメモリ制御回路２４を通して繰り返し読み出し、読み出された画像データを動画ファイル形式で記録媒体３４に記録する。開始された動画記録処理は、操作パネル４０に対する動画記録終了操作に応答して終了される。
【００２５】
操作パネル４０に対して静止画記録操作が行われると、ＣＰＵ３６は、撮像タスクの下で静止画記録処理を実行する。静止画記録操作が行われた時点の被写界を表す１フレームの画像データは、ＳＤＲＡＭ２６に設けられたワークエリア（図示せず）に退避される。Ｉ／Ｆ３２は、ワークエリアに退避された画像データをメモリ制御回路２４を通して読み出し、読み出された画像データを静止画ファイル形式で記録媒体３４に記録する。
【００２６】
図２（Ａ）を参照して、モニタユニット５２は、カメラ筐体５０の後部に設けられた継ぎ手５４を介してカメラ筐体５０と結合される。折りたたみ状態において、モニタユニット５２は、ＬＣＤモニタ３０の画面ＳＣＲが露出する態様でカメラ筐体５０の左側部に積層される。
【００２７】
図３（Ａ）〜図３（Ｂ）を追加的に参照して、カメラ筐体５０の前部にはズームレンズ１２が設けられる。シャフト５８は、ズームレンズ１２に直交する光軸ＡＸに沿って延びる姿勢で、かつカメラ筐体５０の後部から突出するように、カメラ筐体５０に設けられる。継ぎ手５４は、このようなシャフト５８によって支持され、シャフト５８の軸回り方向に回転可能とされる。また、シャフト５６は、光軸ＡＸに直交する方向に延びる姿勢で、かつ継ぎ手５４から突出するように、継ぎ手５４に設けられる。モニタユニット５２は、このようなシャフト５６によって支持され、シャフト５６の軸回り方向に回転可能とされる。
【００２８】
したがって、モニタユニット５２をシャフト５６の軸回り方向に回転させると、モニタユニット５２は図２（Ｂ）に示すように手前に起こされる。この状態で継ぎ手５４をシャフト５８の軸回り方向に９０°回転させると、モニタユニット５２は図２（Ｂ）に示す姿勢から図２（Ｃ）に示す姿勢に遷移する。継ぎ手５４をシャフト５８の軸回り方向にさらに１８０°回転させると、モニタユニット５２は図２（Ｃ）に示す姿勢から図２（Ｄ）に示す姿勢に遷移する。
【００２９】
図４（Ａ）〜図４（Ｄ）を参照して、継ぎ手５４には、ボタン表示装置３８が設けられる。スチルボタン３８ｓ，ムービーボタン３８ｍおよびズームボタン３８ｚは、ボタン表示装置３８によって継ぎ手５４の表面に表示される。ここで、スチルボタン３８ｓ，ムービーボタン３８ｍおよびズームボタン３８ｚはいずれもタッチキーに相当し、各ボタンは厳密には識別マークとその下に設けられたキャパシタとによって形成される。スチルボタン３８ｓへのタッチが静止画記録操作に相当し、ムービーボタン３８ｍへのタッチが動画記録開始操作または動画記録終了操作に相当し、そしてズームボタン３８ｚへのタッチがズーム操作に相当する。
【００３０】
継ぎ手５４の回転角度は図１に示す角度センサ４２によって検知され、スチルボタン３８ｓ，ムービーボタン３８ｍおよびズームボタン３８ｚの識別マークの表示態様は検知された継ぎ手５４の回転角度に応じて変更される。つまり、継ぎ手５４の回転角度が２７０°と異なるとき、これらのボタンの識別マークは、モニタユニット５２側からスチルボタン３８ｓ，ズームボタン３８ｚおよびムービーボタン３８ｍの順で表示される（図４（Ａ）〜図４（Ｃ）参照）。これに対して、継ぎ手５４の回転角度が２７０°に相当するとき、これらのボタンの識別マークは、上下反転した状態で、かつモニタユニット５２側と反対側からスチルボタン３８ｓ，ズームボタン３８ｚおよびムービーボタン３８ｍの順で表示される（図４（Ｄ）参照）。したがって、スチルボタン３８ｓ，ズームボタン３８ｚおよびムービーボタン３８ｍの見え方は、継ぎ手５４の回転角度が９０°の状態と２７０°の状態との間で一致する。
【００３１】
なお、操作パネル４０は、このような表示態様の変更を考慮して、スチルボタン３８ｓ，ズームボタン３８ｚおよびムービーボタン３８ｍのいずれが操作されたかを判別する。また、スルー画像の表示態様は、スチルボタン３８ｓ，ムービーボタン３８ｍおよびズームボタン３８ｚの表示態様の変更に対応して変更される。
【００３２】
図５（Ａ）〜図５（Ｂ）を参照して、カメラ筐体５０は、鏡筒５０ｂおよびグリップ５０ｇを有する。鏡筒５０ｂは光軸ＡＸに直交する断面が縦長のトラック形状（角丸長方形状）を成すように形成され、グリップ５０ｇは左右側面が主面となる縦長の板状に形成される。なお、ズームレンズ１２は、鏡筒５０ｂの前部に設けられる。
【００３３】
左右方向においては、鏡筒５０ｂの寸法がグリップ５０ｇの寸法よりも大きい。これに対して、前後方向においては、グリップ５０ｇの寸法が鏡筒５０ｂの寸法よりも大きい。鏡筒５０ｂは、鏡筒５０ｂの右側面がグリップ５０ｇの右側面と面一となり、かつ鏡筒５０ｂの前面がグリップ５０ｇの前面と面一となるように、グリップ５０ｇの上端に一体的に成形される。
【００３４】
したがって、左右方向における寸法の差分を“ΔＷ”とし、前後方向における寸法の差分を“ΔＤ”とすると、鏡筒５０ｂはグリップ５０ｇに対して“ΔＷ”だけ左方向にせり出し、グリップ５０ｇは鏡筒５０ｂに対して“ΔＤ”だけ後方向にせり出す。
【００３５】
図６（Ａ）および図６（Ｂ）を参照して、モニタユニット５２は板状に形成される。モニタユニット５２の主面の寸法はグリップ５０ｇの主面の寸法とほぼ一致し、モニタユニット５２の厚みは“ΔＷ”に相当する。ＬＣＤモニタ３０はモニタユニット５２の一方主面に埋め込まれ、画面ＳＣＲは一方主面に露出する。また、一方主面の４つの角部のうち、グリップ５０ｇの後上部に相当する角部には、他方主面に達する切り欠き５２ｃが設けられる。ここで、グリップ５０ｇの前後方向に対応する方向における切り欠き５２ｃの寸法は、“ΔＤ”に相当する。
【００３６】
図７（Ａ）および図７（Ｂ）を参照して、継ぎ手５４は、上述した鏡筒５０ｂの断面の寸法とほぼ一致する寸法の主面を有する。ボタン表示装置３８は、後方に露出する一方主面に設けられる。また、継ぎ手５４の厚みは、“ΔＤ”に相当する。継ぎ手５４はさらに、モニタユニット５２の切り欠き５２ｃと嵌合するべく、“ΔＤ”に相当する厚みを有して継ぎ手５４の側面から突出する嵌合部５４ｆを有する。
【００３７】
図８を参照して、シャフト５６は、突出部５４ｆの長さのほぼ２倍の長さを有して、円柱状に形成される。また、図９を参照して、シャフト５８は、継ぎ手５４の厚みのほぼ２倍の長さを有して、円柱状に形成される。
【００３８】
図２（Ａ）〜図２（Ｄ）および図３（Ａ）および図３（Ｂ）に戻って、カメラ筐体５０，モニタユニット５２，継ぎ手５４，シャフト５６および５８の関係をより詳しく説明する。
【００３９】
シャフト５８は、光軸ＡＸに沿って延びる姿勢で鏡筒５０ｂの後部から突出し、継ぎ手５４の他方主面に差し込まれる。継ぎ手５４の厚みは“ΔＤ”に相当するため、継ぎ手５４がカメラ筐体５０に取り付けられたとき、継ぎ手５４の一方主面とグリップ５０の後面とは面一となる。
【００４０】
シャフト５６は、継ぎ手５４の長さ方向に沿って延びる姿勢で継ぎ手５４の嵌合部５４ｆから突出し、切り欠き５２ｃの位置でモニタユニット５２に差し込まれる。ここで、シャフト５６の長さ方向は、ほぼトラック形状をなす継ぎ手５４の主面の長さ方向、およびほぼ長方形をなすモニタユニット５２の主面の長さ方向の両方に沿う。モニタユニット５２の厚みは“ΔＷ”に相当するため、モニタユニット５２をカメラ筐体５０の左側面に積層したとき、モニタユニット５２の一方主面と鏡筒５０ｂの左側面とは面一となる。
【００４１】
カメラ筐体５０，モニタユニット５２，継ぎ手５４，シャフト５６および５８がこうして構成されることから、モニタユニット５２をシャフト５６の軸回り方向に回転させると、画面ＳＣＲはカメラ筐体５０の後方を向く。続いて、継ぎ手５４をシャフト５８の軸回り方向に回転させると、モニタユニット５２つまり画面ＳＣＲはシャフト５８を中心としてカメラ筐体５０の周辺を移動する。モニタユニット５２をカメラ筐体５０の左側に配置すると、カメラ筐体５０を右手で把持しやすくなる（図１０（Ａ）参照）。これに対して、モニタユニット５２をカメラ筐体５０の右側に配置すると、カメラ筐体５０を左手で把持しやすくなる（図１０（Ｂ）参照）。
【００４２】
ＣＰＵ３６は、図１１に示す撮像タスク，図１２に示す条件調整タスクおよび図１３に示す表示制御タスクを含む複数のタスクを並列的に実行する。なお、これらのタスクに対応する制御プログラムは、図示しないフラッシュメモリに記憶される。
【００４３】
図１１を参照して、ステップＳ１では動画取り込み処理を実行する。この結果、スルー画像がＬＣＤモニタ３０に表示される。ステップＳ３では動画記録開始操作が行われたか否かを判別し、ステップＳ５では静止画記録操作が行われたか否かを判別する。
【００４４】
ステップＳ３の判別結果がＮＯからＹＥＳに更新されると、ステップＳ７で動画記録処理を開始する。この結果、撮像面で捉えられた被写界を表す複数フレームの画像データが動画ファイル形式で記録媒体３４に記録される。動画記録終了操作が行われると、ステップＳ９を経てステップＳ１１に進み、動画記録処理を終了する。これによって、動画ファイルが完成する。ステップＳ１１の処理が完了すると、ステップＳ３に戻る。
【００４５】
ステップＳ５の判別結果がＮＯからＹＥＳに更新されると、ステップＳ１３で静止画記録処理を実行する。この結果、静止画記録操作が行われた時点の被写界を表す１フレームの画像データが静止画ファイル形式で記録媒体３４に記録される。ステップＳ１３の処理が完了すると、ステップＳ３に戻る。
【００４６】
図１２を参照して、ステップＳ２１では垂直同期信号Ｖｓｙｎｃが発生したか否かを繰り返し判別する。判別結果がＮＯからＹＥＳに更新されると、ステップＳ２３でＡＥ処理を実行する。この結果、スルー画像の明るさが適度に調整される。ステップＳ２５ではＡＦ起動条件が満足されたか否かを判別し、ステップＳ２９ではズーム操作が行われたか否かを判別する。
【００４７】
ステップＳ２５およびＳ２７のいずれもＮＯであれば、そのままステップＳ２１に戻る。ステップＳ２５の判別結果がＹＥＳであればステップＳ２７でＡＦ処理を実行する。フォーカスレンズ１４は合焦点に配置され、これによってスルー画像の鮮鋭度が向上する。ステップＳ２９の判別結果がＹＥＳであれば、ステップＳ３１でズームレンズ１２を光軸方向に移動させる。この結果、スルー画像の倍率が変化する。ステップＳ３１の処理が完了すると、ステップＳ２１に戻る。
【００４８】
図１３を参照して、ステップＳ４１ではスルー画像の表示態様およびスチルボタン３８ｓ，ムービーボタン３８ｍおよびズームボタン３８ｚの識別マークの表示態様を正立姿勢に設定する。ステップＳ４３ではモニタユニット５２の姿勢が変化したか否かを角度センサ４２の出力に基づいて繰り返し判別する。判別結果がＮＯからＹＥＳに更新されるとステップＳ４５に進み、継ぎ手５４の回転角度が２７０°に相当するか否かを判別する。判別結果がＮＯであればステップＳ４７に進み、スルー画像の表示態様およびスチルボタン３８ｓ，ムービーボタン３８ｍおよびズームボタン３８ｚの識別マークの表示態様を倒立姿勢に設定する。判別結果がＮＯであればステップＳ４９に進み、ステップＳ４１と同様の処理を実行する。ステップＳ４７またはＳ４９の処理が完了すると、ステップＳ４３に戻る。
【００４９】
以上の説明から分かるように、継ぎ手５４はカメラ筐体５０の後部に設けられ、モニタユニット５２は画面ＳＣＲが露出する態様でカメラ筐体５０の側部に積層される。また、継ぎ手５４はカメラ筐体５０から光軸ＡＸに沿って突出したシャフト５８によって軸支され、モニタユニット５２は継ぎ手５４から光軸に直交する方向に突出したシャフト５６によって軸支される。
【００５０】
したがって、モニタユニット５２をシャフト５６の軸回り方向に回転させると、画面ＳＣＲはカメラ筐体５０の後方を向く。続いて、継ぎ手５４をシャフト５８の軸回り方向に回転させると、モニタユニット５２つまり画面ＳＣＲはシャフト５８を中心としてカメラ筐体５０の周辺を移動する。
【００５１】
モニタユニット５２をカメラ筐体５０の左側に配置すると、カメラ筐体５０を右手で把持しやすくなる。これに対して、モニタユニット５２をカメラ筐体５０の右側に配置すると、カメラ筐体５０を左手で把持しやすくなる。また、撮像系の姿勢は、モニタユニット５２の配置の変更に関わらず固定的である。これによって、撮像系の姿勢を変更することなく、利き腕でカメラ操作を行うことができる。
【００５２】
なお、この実施例では、モニタユニット５２は画面ＳＣＲが露出する態様でカメラ筐体５０の側部に積層される。しかし、モニタユニット５２は、画面ＳＣＲがカメラ筐体５０に面する態様でカメラ筐体５０の側部に積層するようにしてもよい。
【符号の説明】
【００５３】
１０  …ディジタルカメラ
１２  …ズームレンズ
３８  …ボタン表示装置
４０  …操作パネル
４２  …角度センサ
５０  …カメラ筐体
５２  …モニタユニット
５４  …継ぎ手
【図１】
2012034118.tif 000003
【図２】
2012034118.tif 000004
【図３】
2012034118.tif 000005
【図４】
2012034118.tif 000006
【図５】
2012034118.tif 000007
【図６】
2012034118.tif 000008
【図７】
2012034118.tif 000009
【図８】
2012034118.tif 000010
【図９】
2012034118.tif 000011
【図１０】
2012034118.tif 000012
【図１１】
2012034118.tif 000013
【図１２】
2012034118.tif 000014
【図１３】
2012034118.tif 000015